(57)【要約】【課題】プライミングの自動化のための専用部品を削減又は不要とすることができ、プライミングの自動化を図りつつ血液回路の製造コストを低減させることができる血液浄化装置及びそのプライミング方法を提供する。【解決手段】静脈側エアトラップチャンバ６の上部に対する空気の導入又は排出を任意に行い得る液面調整手段Ａと、液面調整手段Ａを作動させて静脈側エアトラップチャンバ６内に形成される液面の高さを任意位置に調整し得る制御手段Ｃと、プライミング液を動脈側血液回路１及び静脈側血液回路２に供給し得るプライミング液供給ラインＬ３とを具備した血液浄化装置であって、制御手段Ｃは、プライミング時、液面調整手段Ａを任意タイミングで作動させることにより、プライミング液供給ラインＬ３から供給されたプライミング液を動脈側血液回路１及び静脈側血液回路２に充填させ得るものである。【選択図】図１
2014024972.tif 000002
【特許請求の範囲】
【請求項１】
動脈側血液回路及び静脈側血液回路から成るとともに、当該動脈側血液回路の先端から静脈側血液回路の先端まで患者の血液を体外循環させ得る血液回路と、
該血液回路の動脈側血液回路及び静脈側血液回路の間に介装されて当該血液回路を流れる血液を浄化し得る血液浄化手段と、
前記動脈側血液回路に配設された血液ポンプと、
前記静脈側血液回路に接続された静脈側エアトラップチャンバと、
前記静脈側エアトラップチャンバに接続され、当該静脈側エアトラップチャンバの上部に対する空気の導入又は排出を任意に行うことが可能な液面調整手段と、
前記液面調整手段を作動させることにより、前記静脈側エアトラップチャンバ内に形成される液面の高さを任意位置に調整し得る制御手段と、
プライミング時、プライミング液を前記動脈側血液回路及び静脈側血液回路に供給し得るプライミング液供給ラインと、
を具備した血液浄化装置であって、
前記制御手段は、前記プライミング時、前記液面調整手段を任意タイミングで作動させることにより、前記プライミング液供給ラインから供給されたプライミング液を前記動脈側血液回路及び静脈側血液回路に充填させ得ることを特徴とする血液浄化装置。
【請求項２】
前記プライミング時、前記動脈側血液回路の先端及び前記静脈側血液回路の先端がそれぞれ開放した状態とされるとともに、前記プライミング液供給ラインから供給されたプライミング液を当該動脈側血液回路の先端及び前記静脈側血液回路の先端から排出可能とされたことを特徴とする請求項１記載の血液浄化装置。
【請求項３】
前記血液浄化手段に透析液を導入する透析液導入ラインと、
前記血液浄化手段から透析液を排出する透析液排出ラインと、
を具備し、前記プライミング時、前記動脈側血液回路の先端及び前記静脈側血液回路の先端が前記透析液排出ライン又は前記透析液導入ラインと透析液排出ラインとを連結した連結ラインにそれぞれ接続されるとともに、前記プライミング液供給ラインから供給されたプライミング液を当該動脈側血液回路の先端及び前記静脈側血液回路の先端から前記透析液排出ラインを介して排出可能とされたことを特徴とする請求項１記載の血液浄化装置。
【請求項４】
前記透析液排出ラインには、前記血液浄化手段から当該透析液排出ラインに透析液を排出させるポンプを具備するとともに、前記プライミング時、前記動脈側血液回路の先端及び前記静脈側血液回路の先端が前記透析液排出ライン又は前記連結ラインにおける当該ポンプより下流側に接続されたことを特徴とする請求項３記載の血液浄化装置。
【請求項５】
前記動脈側血液回路の先端及び静脈側血液回路の先端とそれぞれ接続可能な第１接続部及び第２接続部と、前記透析液排出ライン又は連結ラインに接続可能な第３接続部とを具備した接続手段を具備するとともに、プライミング時、前記プライミング液供給ラインから供給されたプライミング液を当該動脈側血液回路の先端及び前記静脈側血液回路の先端から当該接続手段を介して前記透析液排出ライン又は連結ラインに排出可能とされたことを特徴とする請求項３又は請求項４記載の血液浄化装置。
【請求項６】
前記液面調整手段は、正転駆動及び逆転駆動可能な液面調整ポンプを具備するとともに、前記制御手段は、前記プライミング時、当該液面調整ポンプを任意タイミングで駆動させて前記静脈側エアトラップチャンバの上部に対する空気の導入又は排出を行うことが可能とされたことを特徴とする請求項１〜５の何れか１つに記載の血液浄化装置。
【請求項７】
前記動脈側血液回路に動脈側エアトラップチャンバが接続されるとともに、前記液面調整手段は、当該動脈側エアトラップチャンバ及び前記静脈側エアトラップチャンバにそれぞれ接続され、前記制御手段により当該動脈側エアトラップチャンバ及び前記静脈側エアトラップチャンバ内に形成される液面の高さをそれぞれ任意位置に調整し得ることを特徴とする請求項１〜６の何れか１つに記載の血液浄化装置。
【請求項８】
前記血液浄化手段に透析液を導入する透析液導入ラインと、
前記血液浄化手段から透析液を排出する透析液排出ラインと、
を具備するとともに、前記プライミング液供給ラインは、一端が前記透析液導入ラインに接続され、他端が前記血液回路の所定部位に接続されて成り、当該透析液導入ラインの透析液を前記動脈側血液回路及び静脈側血液回路に供給し得ることを特徴とする請求項１〜７の何れか１つに記載の血液浄化装置。
【請求項９】
前記液面調整手段は、前記静脈側エアトラップチャンバからプライミング液を排出させ得ることを特徴とする請求項１〜８の何れか１つに記載の血液浄化装置。
【請求項１０】
動脈側血液回路及び静脈側血液回路から成るとともに、当該動脈側血液回路の先端から静脈側血液回路の先端まで患者の血液を体外循環させ得る血液回路と、
該血液回路の動脈側血液回路及び静脈側血液回路の間に介装されて当該血液回路を流れる血液を浄化し得る血液浄化手段と、
前記動脈側血液回路に配設された血液ポンプと、
前記静脈側血液回路に接続された静脈側エアトラップチャンバと、
前記静脈側エアトラップチャンバに接続され、当該静脈側エアトラップチャンバの上部に対する空気の導入又は排出を任意に行うことが可能な液面調整手段と、
プライミング時、プライミング液を前記動脈側血液回路及び静脈側血液回路に供給し得るプライミング液供給ラインと、
を具備し、液面調整手段を作動させることにより、前記静脈側エアトラップチャンバ内に形成される液面の高さを任意位置に調整し得る血液浄化装置のプライミング方法であって、
前記プライミング時、前記液面調整手段を任意タイミングで作動させることにより、前記プライミング液供給ラインから供給されたプライミング液を前記動脈側血液回路及び静脈側血液回路に充填させることを特徴とする血液浄化装置のプライミング方法。
【請求項１１】
前記プライミング時、前記動脈側血液回路の先端及び前記静脈側血液回路の先端がそれぞれ開放した状態とされるとともに、前記プライミング液供給ラインから供給されたプライミング液を当該動脈側血液回路の先端及び前記静脈側血液回路の先端から排出させることを特徴とする請求項１０記載の血液浄化装置のプライミング方法。
【請求項１２】
前記血液浄化装置は、
前記血液浄化手段に透析液を導入する透析液導入ラインと、
前記血液浄化手段から透析液を排出する透析液排出ラインと、
を具備し、前記プライミング時、前記動脈側血液回路の先端及び前記静脈側血液回路の先端が前記透析液排出ライン又は前記透析液導入ラインと透析液排出ラインとを連結した連結ラインにそれぞれ接続されるとともに、前記プライミング液供給ラインから供給されたプライミング液を当該動脈側血液回路の先端及び前記静脈側血液回路の先端から前記透析液排出ラインを介して排出することを特徴とする請求項１０記載の血液浄化装置のプライミング方法。
【請求項１３】
前記透析液排出ラインには、前記血液浄化手段から当該透析液排出ラインに透析液を排出させるポンプを具備するとともに、前記プライミング時、前記動脈側血液回路の先端及び前記静脈側血液回路の先端が前記透析液排出ライン又は前記連結ラインにおける当該ポンプより下流側に接続されたことを特徴とする請求項１２記載の血液浄化装置のプライミング方法。
【請求項１４】
前記動脈側血液回路の先端及び静脈側血液回路の先端とそれぞれ接続可能な第１接続部及び第２接続部と、前記透析液排出ライン又は連結ラインに接続可能な第３接続部とを具備した接続手段を具備するとともに、プライミング時、前記プライミング液供給ラインから供給されたプライミング液を当該動脈側血液回路の先端及び前記静脈側血液回路の先端から当該接続手段を介して前記透析液排出ライン又は連結ラインに排出することを特徴とする請求項１２又は請求項１３記載の血液浄化装置のプライミング方法。
【請求項１５】
前記液面調整手段は、正転駆動及び逆転駆動可能な液面調整ポンプを具備するとともに、前記プライミング時、当該液面調整ポンプを任意タイミングで駆動させて前記静脈側エアトラップチャンバの上部に対する空気の導入又は排出を行うことを特徴とする請求項１０〜１４の何れか１つに記載の血液浄化装置のプライミング方法。
【請求項１６】
前記動脈側血液回路に動脈側エアトラップチャンバが接続されるとともに、前記液面調整手段は、当該動脈側エアトラップチャンバ及び前記静脈側エアトラップチャンバにそれぞれ接続され、当該動脈側エアトラップチャンバ及び前記静脈側エアトラップチャンバ内に形成される液面の高さをそれぞれ任意位置に調整することを特徴とする請求項１０〜１５の何れか１つに記載の血液浄化装置のプライミング方法。
【請求項１７】
前記血液浄化装置は、
前記血液浄化手段に透析液を導入する透析液導入ラインと、
前記血液浄化手段から透析液を排出する透析液排出ラインと、
を具備するとともに、前記プライミング液供給ラインは、一端が前記透析液導入ラインに接続され、他端が前記血液回路の所定部位に接続されて成り、当該透析液導入ラインの透析液を前記動脈側血液回路及び静脈側血液回路に供給することを特徴とする請求項１０〜１６の何れか１つに記載の血液浄化装置のプライミング方法。
【請求項１８】
前記液面調整手段は、前記静脈側エアトラップチャンバからプライミング液を排出させ得ることを特徴とする請求項１０〜１７の何れか１つに記載の血液浄化装置のプライミング方法。
【発明の詳細な説明】
【技術分野】
【０００１】
本発明は、ダイアライザを使用した透析治療など、患者の血液を体外循環させつつ浄化するための血液浄化装置及びそのプライミング方法に関するものである。
【背景技術】
【０００２】
一般に、透析治療時においては、採取した患者の血液を体外循環させて再び体内に戻すための血液回路が用いられており、かかる血液回路は、例えば中空糸膜を具備したダイアライザ（血液浄化手段）と接続し得る動脈側血液回路及び静脈側血液回路から主に構成されている。これら動脈側血液回路及び静脈側血液回路の各先端には、動脈側穿刺針及び静脈側穿刺針が取り付けられ、それぞれが患者に穿刺されて透析治療における血液の体外循環が行われることとなる。【０００３】
このうち、動脈側血液回路には、しごき型の血液ポンプが配設されており、動脈側穿刺針及び静脈側穿刺針を患者に穿刺した状態において当該血液ポンプを駆動させることにより、患者の体内から採取された血液をダイアライザ側に送り込み得るようになっている。さらに、動脈側血液回路及び静脈側血液回路には、動脈側エアトラップチャンバ及び静脈側エアトラップチャンバがそれぞれ接続されており、体外循環した血液が除泡された後に患者の体内に戻されるよう構成されている。【０００４】
ところで、従来、特許文献１で開示されているように、動脈側血液回路における血液ポンプより上流側（即ち、動脈側穿刺針の取付側）には、プライミング時にプライミング液（生理食塩液）を供給するためのプライミング液供給ラインがＴ字管等を介して接続されており、透析治療前のプライミング時に、血液回路や該血液回路に接続されたエアトラップチャンバ等の種々構成要素に対してプライミング液を流し充填させ得るよう構成されている。【０００５】
特に、上記従来の血液浄化装置においては、プライミングの自動化を図るべく、静脈側エアトラップチャンバの上部からオーバーフローラインを延設させるとともに、プライミング時、動脈側血液回路の先端と静脈側血液回路の先端とを接続して閉回路を形成しておき、プライミング液供給ラインから供給されたプライミング液を当該閉回路にて循環させつつオーバーフローラインから排出させることで、プライミング液の充填を自動的に行い得るようになっていた。
【先行技術文献】
【特許文献】
【０００６】
【特許文献１】特開２０１０−２７３６９３号公報
【発明の概要】
【発明が解決しようとする課題】
【０００７】
しかしながら、上記従来の血液浄化装置においては、専らプライミング時に限り使用されるオーバーフローラインや動脈側血液回路の先端と静脈側血液回路の先端とを接続させるための接続具等の専用部品が必要とされるため、少なくとも当該専用部品の分、血液回路の製造コストが嵩んでしまうという不具合があった。しかるに、血液回路は、通常、治療毎に使い捨てされるもの（ディスポーザブル品）であることから、治療毎に専用部品が必要とされ、製造コストの上昇に加え、専用部品の在庫管理等が煩雑になってしまうという問題がある。そこで、本出願人は、治療時にエアトラップチャンバの液面の高さを調整し得る液面調整手段に注目し、当該液面調整手段を利用して血液回路のプライミングを行わせることでプライミングのための専用部品を減らし又は不要とすることを鋭意検討するに至った。【０００８】
本発明は、このような事情に鑑みてなされたもので、プライミングの自動化のための専用部品を削減又は不要とすることができ、プライミングの自動化を図りつつ血液回路の製造コストを低減させることができる血液浄化装置及びそのプライミング方法を提供することにある。
【課題を解決するための手段】
【０００９】
請求項１記載の発明は、動脈側血液回路及び静脈側血液回路から成るとともに、当該動脈側血液回路の先端から静脈側血液回路の先端まで患者の血液を体外循環させ得る血液回路と、該血液回路の動脈側血液回路及び静脈側血液回路の間に介装されて当該血液回路を流れる血液を浄化し得る血液浄化手段と、前記動脈側血液回路に配設された血液ポンプと、前記静脈側血液回路に接続された静脈側エアトラップチャンバと、前記静脈側エアトラップチャンバに接続され、当該静脈側エアトラップチャンバの上部に対する空気の導入又は排出を任意に行うことが可能な液面調整手段と、前記液面調整手段を作動させることにより、前記静脈側エアトラップチャンバ内に形成される液面の高さを任意位置に調整し得る制御手段と、プライミング時、プライミング液を前記動脈側血液回路及び静脈側血液回路に供給し得るプライミング液供給ラインとを具備した血液浄化装置であって、前記制御手段は、前記プライミング時、前記液面調整手段を任意タイミングで作動させることにより、前記プライミング液供給ラインから供給されたプライミング液を前記動脈側血液回路及び静脈側血液回路に充填させ得ることを特徴とする。【００１０】
請求項２記載の発明は、請求項１記載の血液浄化装置において、前記プライミング時、前記動脈側血液回路の先端及び前記静脈側血液回路の先端がそれぞれ開放した状態とされるとともに、前記プライミング液供給ラインから供給されたプライミング液を当該動脈側血液回路の先端及び前記静脈側血液回路の先端から排出可能とされたことを特徴とする。【００１１】
請求項３記載の発明は、請求項１記載の血液浄化装置において、前記血液浄化手段に透析液を導入する透析液導入ラインと、前記血液浄化手段から透析液を排出する透析液排出ラインとを具備し、前記プライミング時、前記動脈側血液回路の先端及び前記静脈側血液回路の先端が前記透析液排出ライン又は前記透析液導入ラインと透析液排出ラインとを連結した連結ラインにそれぞれ接続されるとともに、前記プライミング液供給ラインから供給されたプライミング液を当該動脈側血液回路の先端及び前記静脈側血液回路の先端から前記透析液排出ラインを介して排出可能とされたことを特徴とする。【００１２】
請求項４記載の発明は、請求項３記載の血液浄化装置において、前記透析液排出ラインには、前記血液浄化手段から当該透析液排出ラインに透析液を排出させるポンプを具備するとともに、前記プライミング時、前記動脈側血液回路の先端及び前記静脈側血液回路の先端が前記透析液排出ライン又は前記連結ラインにおける当該ポンプより下流側に接続されたことを特徴とする。【００１３】
請求項５記載の発明は、請求項３又は請求項４記載の血液浄化装置において、前記動脈側血液回路の先端及び静脈側血液回路の先端とそれぞれ接続可能な第１接続部及び第２接続部と、前記透析液排出ライン又は連結ラインに接続可能な第３接続部とを具備した接続手段を具備するとともに、プライミング時、前記プライミング液供給ラインから供給されたプライミング液を当該動脈側血液回路の先端及び前記静脈側血液回路の先端から当該接続手段を介して前記透析液排出ライン又は連結ラインに排出可能とされたことを特徴とする。【００１４】
請求項６記載の発明は、請求項１〜５の何れか１つに記載の血液浄化装置において、前記液面調整手段は、正転駆動及び逆転駆動可能な液面調整ポンプを具備するとともに、前記制御手段は、前記プライミング時、当該液面調整ポンプを任意タイミングで駆動させて前記静脈側エアトラップチャンバの上部に対する空気の導入又は排出を行うことが可能とされたことを特徴とする。【００１５】
請求項７記載の発明は、請求項１〜６の何れか１つに記載の血液浄化装置において、前記動脈側血液回路に動脈側エアトラップチャンバが接続されるとともに、前記液面調整手段は、当該動脈側エアトラップチャンバ及び前記静脈側エアトラップチャンバにそれぞれ接続され、前記制御手段により当該動脈側エアトラップチャンバ及び前記静脈側エアトラップチャンバ内に形成される液面の高さをそれぞれ任意位置に調整し得ることを特徴とする。【００１６】
請求項８記載の発明は、請求項１〜７の何れか１つに記載の血液浄化装置において、前記血液浄化手段に透析液を導入する透析液導入ラインと、前記血液浄化手段から透析液を排出する透析液排出ラインとを具備するとともに、前記プライミング液供給ラインは、一端が前記透析液導入ラインに接続され、他端が前記血液回路の所定部位に接続されて成り、当該透析液導入ラインの透析液を前記動脈側血液回路及び静脈側血液回路に供給し得ることを特徴とする。【００１７】
請求項９記載の発明は、請求項１〜８の何れか１つに記載の血液浄化装置において、前記液面調整手段は、前記静脈側エアトラップチャンバからプライミング液を排出させ得ることを特徴とする。【００１８】
請求項１０記載の発明は、動脈側血液回路及び静脈側血液回路から成るとともに、当該動脈側血液回路の先端から静脈側血液回路の先端まで患者の血液を体外循環させ得る血液回路と、該血液回路の動脈側血液回路及び静脈側血液回路の間に介装されて当該血液回路を流れる血液を浄化し得る血液浄化手段と、前記動脈側血液回路に配設された血液ポンプと、前記静脈側血液回路に接続された静脈側エアトラップチャンバと、前記静脈側エアトラップチャンバに接続され、当該静脈側エアトラップチャンバの上部に対する空気の導入又は排出を任意に行うことが可能な液面調整手段と、プライミング時、プライミング液を前記動脈側血液回路及び静脈側血液回路に供給し得るプライミング液供給ラインとを具備し、液面調整手段を作動させることにより、前記静脈側エアトラップチャンバ内に形成される液面の高さを任意位置に調整し得る血液浄化装置のプライミング方法であって、前記プライミング時、前記液面調整手段を任意タイミングで作動させることにより、前記プライミング液供給ラインから供給されたプライミング液を前記動脈側血液回路及び静脈側血液回路に充填させることを特徴とする。【００１９】
請求項１１記載の発明は、請求項１０記載の血液浄化装置のプライミング方法において、前記プライミング時、前記動脈側血液回路の先端及び前記静脈側血液回路の先端がそれぞれ開放した状態とされるとともに、前記プライミング液供給ラインから供給されたプライミング液を当該動脈側血液回路の先端及び前記静脈側血液回路の先端から排出させることを特徴とする。【００２０】
請求項１２記載の発明は、請求項１０記載の血液浄化装置のプライミング方法において、前記血液浄化装置は、前記血液浄化手段に透析液を導入する透析液導入ラインと、前記血液浄化手段から透析液を排出する透析液排出ラインとを具備し、前記プライミング時、前記動脈側血液回路の先端及び前記静脈側血液回路の先端が前記透析液排出ライン又は前記透析液導入ラインと透析液排出ラインとを連結した連結ラインにそれぞれ接続されるとともに、前記プライミング液供給ラインから供給されたプライミング液を当該動脈側血液回路の先端及び前記静脈側血液回路の先端から前記透析液排出ラインを介して排出することを特徴とする。【００２１】
請求項１３記載の発明は、請求項１２記載の血液浄化装置のプライミング方法において、前記透析液排出ラインには、前記血液浄化手段から当該透析液排出ラインに透析液を排出させるポンプを具備するとともに、前記プライミング時、前記動脈側血液回路の先端及び前記静脈側血液回路の先端が前記透析液排出ライン又は前記連結ラインにおける当該ポンプより下流側に接続されたことを特徴とする。【００２２】
請求項１４記載の発明は、請求項１２又は請求項１３記載の血液浄化装置のプライミング方法において、前記動脈側血液回路の先端及び静脈側血液回路の先端とそれぞれ接続可能な第１接続部及び第２接続部と、前記透析液排出ライン又は連結ラインに接続可能な第３接続部とを具備した接続手段を具備するとともに、プライミング時、前記プライミング液供給ラインから供給されたプライミング液を当該動脈側血液回路の先端及び前記静脈側血液回路の先端から当該接続手段を介して前記透析液排出ライン又は連結ラインに排出することを特徴とする。【００２３】
請求項１５記載の発明は、請求項１０〜１４の何れか１つに記載の血液浄化装置のプライミング方法において、前記液面調整手段は、正転駆動及び逆転駆動可能な液面調整ポンプを具備するとともに、前記プライミング時、当該液面調整ポンプを任意タイミングで駆動させて前記静脈側エアトラップチャンバの上部に対する空気の導入又は排出を行うことを特徴とする。【００２４】
請求項１６記載の発明は、請求項１０〜１５の何れか１つに記載の血液浄化装置のプライミング方法において、前記動脈側血液回路に動脈側エアトラップチャンバが接続されるとともに、前記液面調整手段は、当該動脈側エアトラップチャンバ及び前記静脈側エアトラップチャンバにそれぞれ接続され、当該動脈側エアトラップチャンバ及び前記静脈側エアトラップチャンバ内に形成される液面の高さをそれぞれ任意位置に調整することを特徴とする。【００２５】
請求項１７記載の発明は、請求項１０〜１６の何れか１つに記載の血液浄化装置のプライミング方法において、前記血液浄化装置は、前記血液浄化手段に透析液を導入する透析液導入ラインと、前記血液浄化手段から透析液を排出する透析液排出ラインとを具備するとともに、前記プライミング液供給ラインは、一端が前記透析液導入ラインに接続され、他端が前記血液回路の所定部位に接続されて成り、当該透析液導入ラインの透析液を前記動脈側血液回路及び静脈側血液回路に供給することを特徴とする。【００２６】
請求項１８記載の発明は、請求項１０〜１７の何れか１つに記載の血液浄化装置のプライミング方法において、前記液面調整手段は、前記静脈側エアトラップチャンバからプライミング液を排出させ得ることを特徴とする。
【発明の効果】
【００２７】
請求項１、１０の発明によれば、プライミング時、液面調整手段を任意タイミングで作動させることにより、プライミング液供給ラインから供給されたプライミング液を動脈側血液回路及び静脈側血液回路に充填させるので、プライミングの自動化のための専用部品を削減又は不要とすることができ、プライミングの自動化を図りつつ血液回路の製造コストを低減させることができる。【００２８】
請求項２、１１の発明によれば、プライミング時、動脈側血液回路の先端及び静脈側血液回路の先端がそれぞれ開放した状態とされるとともに、プライミング液供給ラインから供給されたプライミング液を当該動脈側血液回路の先端及び静脈側血液回路の先端から排出させるので、プライミング自動化のための専用部品のうち少なくともオーバーフローライン及び動脈側血液回路の先端と静脈側血液回路の先端とを接続させるための接続具を不要とすることができる。【００２９】
請求項３、１２の発明によれば、プライミング時、動脈側血液回路の先端及び静脈側血液回路の先端が透析液排出ライン又は透析液導入ラインと透析液排出ラインとを連結した連結ラインにそれぞれ接続されるとともに、プライミング液供給ラインから供給されたプライミング液を当該動脈側血液回路の先端及び前記静脈側血液回路の先端から透析液排出ラインを介して排出するので、透析液排出ラインを利用してプライミング時に使用されたプライミング液を排出させることができ、プライミング液の回収を容易に行わせることができる。【００３０】
請求項４、１３の発明によれば、透析液排出ラインには、血液浄化手段から当該透析液排出ラインに透析液を排出させるポンプを具備するとともに、プライミング時、動脈側血液回路の先端及び静脈側血液回路の先端が透析液排出ライン又は連結ラインにおける当該ポンプより下流側に接続されたので、動脈側血液回路の先端及び静脈側血液回路の先端から排出されたプライミング液が血液浄化手段に至ってしまうのを確実に回避することができる。【００３１】
請求項５、１４の発明によれば、動脈側血液回路の先端及び静脈側血液回路の先端とそれぞれ接続可能な第１接続部及び第２接続部と、透析液排出ライン又は連結ラインに接続可能な第３接続部とを具備した接続手段を具備するとともに、プライミング時、プライミング液供給ラインから供給されたプライミング液を当該動脈側血液回路の先端及び静脈側血液回路の先端から当該接続手段を介して透析液排出ライン又は連結ラインに排出するので、動脈側血液回路の先端及び静脈側血液回路の先端が透析液排出ラインを具備した装置本体に接触してしまうのを回避でき、清浄に保つことができる。【００３２】
請求項６、１５の発明によれば、液面調整手段は、正転駆動及び逆転駆動可能な液面調整ポンプを具備するとともに、プライミング時、当該液面調整ポンプを任意タイミングで駆動させて静脈側エアトラップチャンバの上部に対する空気の導入又は排出を行うので、治療時及びプライミング時において適切な量の空気を静脈側エアトラップチャンバに対して導入又は排出させることができる。【００３３】
請求項７、１６の発明によれば、動脈側血液回路に動脈側エアトラップチャンバが接続されるとともに、液面調整手段は、当該動脈側エアトラップチャンバ及び静脈側エアトラップチャンバにそれぞれ接続され、当該動脈側エアトラップチャンバ及び前記静脈側エアトラップチャンバ内に形成される液面の高さをそれぞれ任意位置に調整するので、治療時及びプライミング時において、動脈側エアトラップチャンバ及び静脈側エアトラップチャンバのそれぞれの液面を最適な高さとすることができる。【００３４】
請求項８、１７の発明によれば、プライミング液供給ラインは、一端が透析液導入ラインに接続され、他端が血液回路の所定部位に接続されて成り、当該透析液導入ラインの透析液を動脈側血液回路及び静脈側血液回路に供給するので、生理食塩液等をプライミング液として供給するものに比べ、プライミングの自動化をより円滑に図ることができる。【００３５】
請求項９、１８の発明によれば、液面調整手段は、静脈側エアトラップチャンバからプライミング液を排出させ得るので、プライミング自動化のための専用部品のうち少なくともオーバーフローラインを削減することができるとともに、動脈側血液回路の先端と静脈側血液回路の先端とを接続させた状態でもプライミングを行わせることができる。
【図面の簡単な説明】
【００３６】
【図１】本発明の第１の実施形態に係る透析装置（血液浄化装置）を示す模式図
【図２】同透析装置によるプライミング（接続テスト工程）が行われている状態を示す模式図
【図３】同透析装置によるプライミング（第１工程）が行われている状態を示す模式図
【図４】同透析装置によるプライミング（第２工程）が行われている状態を示す模式図
【図５】同透析装置によるプライミング（第３工程）が行われている状態を示す模式図
【図６】同透析装置によるプライミング（第４工程）が行われている状態を示す模式図
【図７】同透析装置によるプライミング（ガスパージ工程）が行われている状態を示す模式図
【図８】同透析装置に好適なプライミング（予工程）が行われている状態を示す模式図
【図９】本発明の第２の実施形態に係る透析装置（血液浄化装置）によるプライミング（第１工程）が行われている状態を示す模式図
【図１０】同透析装置によるプライミング（第２工程）が行われている状態を示す模式図
【図１１】同透析装置によるプライミング（第３工程）が行われている状態を示す模式図
【図１２】同透析装置によるプライミング（第４工程）が行われている状態を示す模式図
【図１３】本発明の第３の実施形態に係る透析装置（血液浄化装置）によるプライミング（第２工程）が行われている状態を示す模式図
【図１４】同透析装置によるプライミング（第３工程）が行われている状態を示す模式図
【図１５】同透析装置によるプライミング（第４工程）が行われている状態を示す模式図
【図１６】本発明の第４の実施形態に係る透析装置（血液浄化装置）によるプライミング（第２工程）が行われている状態を示す模式図
【図１７】同透析装置によるプライミング（第３工程）が行われている状態を示す模式図
【図１８】同透析装置によるプライミング（第４工程）が行われている状態を示す模式図
【図１９】同透析装置による追加の工程が行われている状態を示す模式図
【図２０】本発明の第５の実施形態に係る透析装置（血液浄化装置）によるプライミング（第２、３工程）が行われている状態を示す模式図
【図２１】同透析装置によるプライミング（第４工程）が行われている状態を示す模式図
【図２２】本発明の第６の実施形態に係る透析装置（血液浄化装置）によるプライミング（第３工程）が行われている状態を示す模式図
【図２３】本発明の第７の実施形態に係る透析装置（血液浄化装置）によるプライミング（第３工程）が行われている状態を示す模式図
【図２４】同透析装置によるプライミング（第４工程）が行われている状態を示す模式図
【図２５】同透析装置における治療後の洗浄工程が行われている状態を示す模式図
【図２６】本発明の第８の実施形態に係る透析装置（血液浄化装置）によるプライミング（第３工程）が行われている状態を示す模式図
【図２７】同透析装置によるプライミング（第４工程）が行われている状態を示す模式図
【図２８】本発明の第９の実施形態に係る透析装置（血液浄化装置）によるプライミング（第３工程）が行われている状態を示す模式図
【図２９】同透析装置によるプライミング（第４工程）が行われている状態を示す模式図
【発明を実施するための形態】
【００３７】
以下、本発明の実施形態について図面を参照しながら具体的に説明する。
第１の実施形態に係る血液浄化装置は、透析治療を行うための透析装置から成り、図１に示すように、動脈側血液回路１及び静脈側血液回路２から成る血液回路と、動脈側血液回路１及び静脈側血液回路２の間に介装されて血液回路を流れる血液を浄化するダイアライザ３（血液浄化手段）と、動脈側血液回路１に配設されたしごき型の血液ポンプ４と、動脈側血液回路１に接続された動脈側エアトラップチャンバ５と、静脈側血液回路２に接続された静脈側エアトラップチャンバ６と、プライミング液供給ラインＬ３と、液面調整手段Ａと、制御手段Ｃとから主に構成されている。
【００３８】
動脈側血液回路１には、その先端にコネクタａが接続されており、当該コネクタａを介して動脈側穿刺針（不図示）が接続可能とされるとともに、途中にしごき型の血液ポンプ４及び動脈側エアトラップチャンバ５が配設されている。一方、静脈側血液回路２には、その先端にコネクタｂが接続されており、当該コネクタｂを介して静脈側穿刺針（不図示）が接続可能とされるとともに、途中に静脈側エアトラップチャンバ６が接続されている。なお、図中符号Ｓ１、Ｓ２は、動脈側血液回路１の先端部及び静脈側血液回路２の先端部を流れる気泡を検出するための気泡検出器を示している。
【００３９】
そして、動脈側血液回路１の先端に接続された動脈側穿刺針及び静脈側血液回路２の先端に接続された静脈側穿刺針を患者に穿刺した状態で、血液ポンプ４を駆動（正転駆動）させると、患者の血液は、動脈側エアトラップチャンバ５で除泡がなされつつ動脈側血液回路１を通ってダイアライザ３に至り、該ダイアライザ３によって血液浄化が施された後、静脈側エアトラップチャンバ６で除泡がなされつつ静脈側血液回路２を通って患者の体内に戻るようになっている。これにより、患者の血液を血液回路の動脈側血液回路１の先端から静脈側血液回路２の先端まで体外循環させつつダイアライザ３にて浄化し得るのである。
【００４０】
動脈側エアトラップチャンバ５及び静脈側エアトラップチャンバ６には、液面調整手段Ａがそれぞれ接続されている。かかる液面調整手段Ａは、透析装置本体Ｂに内蔵又は外付けされたもので、動脈側空気流通ラインＬ８及び静脈側空気流通ラインＬ１０と、先端が大気開放状態とされた開放ラインＬ１２と、動脈側空気流通ラインＬ８及び開放ラインＬ１２を連通させる連通ラインＬ９と、静脈側空気流通ラインＬ１０及び開放ラインＬ１２を連通させる連通ラインＬ１１と、液面調整ポンプ１１とから主に構成されている。
【００４１】
動脈側空気流通ラインＬ８は、一端が動脈側エアトラップチャンバ５の上部（空気層側）に接続されるとともに、他端が動脈側圧力検出センサ１２と接続された可撓性チューブ等の流路から成る。かかる動脈側圧力検出センサ１２は、動脈側エアトラップチャンバ５の上部（空気層側）の圧力を検出し得るもので、これにより、ダイアライザ３に流れ込む血液の圧力（ダイアライザ３の入口圧）を検出可能とされている。
【００４２】
静脈側空気流通ラインＬ１０は、一端が静脈側エアトラップチャンバ６の上部（空気層側）に接続されるとともに、他端が静脈側圧力検出センサ１３と接続された可撓性チューブ等の流路から成る。かかる静脈側圧力検出センサ１３（所謂、「静脈圧センサ」と称されるセンサ）は、静脈側エアトラップチャンバ６の上部（空気層側）の圧力を検出し得るもので、これにより、静脈側血液回路２を流れる血液の圧力（静脈圧）を検出可能とされている。
【００４３】
連通ラインＬ９は、一端が動脈側空気流通ラインＬ８の途中に接続されるとともに、他端が開放ラインＬ１２の基端に接続された可撓性チューブ等の流路から成り、その途中には、流路を開閉し得る電磁弁Ｖ９が配設されている。また、連通ラインＬ１１は、一端が静脈側空気流通ラインＬ１０の途中に接続されるとともに、他端が開放ラインＬ１２の基端に接続された可撓性チューブ等の流路から成り、その途中には、流路を開閉し得る電磁弁Ｖ１０が配設されている。
【００４４】
開放ラインＬ１２は、基端が連通ラインＬ９、Ｌ１１とそれぞれ接続されるとともに、先端が大気開放状態とされた可撓性チューブ等の流路から成り、その途中には、しごきポンプから成る液面調整ポンプ１１が配設されている。かかる液面調整ポンプ１１は、正転駆動及び逆転駆動可能なしごき部を有し、当該しごき部が開放ラインＬ１２を構成する可撓性チューブをその長手方向に向かってしごくことで、動脈側エアトラップチャンバ５の上部又は静脈側エアトラップチャンバ６の上部に対する空気の導入又は排出を任意に行い得るよう構成されている。なお、液面調整ポンプ１１について、図中右回転のとき正転駆動、左回転のとき逆転駆動を示している（同様に、血液ポンプ４について、図中右回転のとき正転駆動、左回転のとき逆転駆動を示している）。
【００４５】
しかして、液面調整ポンプ１１を正転駆動させると、開放ラインＬ１２の先端から空気が吸引されるので、電磁弁Ｖ９が開状態のとき、動脈側エアトラップチャンバ５に空気が導入されて液面を下降させるとともに、液面調整ポンプ１１を逆転駆動させると、開放ラインＬ１２の先端から空気が排出されるので、電磁弁Ｖ９が開状態のとき、動脈側エアトラップチャンバ５から空気が排出されて液面を上昇させる。
【００４６】
同様に、液面調整ポンプ１１を正転駆動させると、開放ラインＬ１２の先端から空気が吸引されるので、電磁弁Ｖ１０が開状態のとき、静脈側エアトラップチャンバ６に空気が導入されて液面を下降させるとともに、液面調整ポンプ１１を逆転駆動させると、開放ラインＬ１２の先端から空気が排出されるので、電磁弁Ｖ１０が開状態のとき、静脈側エアトラップチャンバ６から空気が排出されて液面を上昇させる。
【００４７】
ダイアライザ３は、その筐体部に、血液導入口３ａ（血液導入ポート）、血液導出口３ｂ（血液導出ポート）、透析液導入口３ｃ（透析液流路入口：透析液導入ポート）及び透析液導出口３ｄ（透析液流路出口：透析液導出ポート）が形成されており、このうち血液導入口３ａには動脈側血液回路１が、血液導出口３ｂには静脈側血液回路２がそれぞれ接続されている。また、透析液導入口３ｃ及び透析液導出口３ｄは、透析装置本体Ｂから延設された透析液導入ラインＬ１及び透析液排出ラインＬ２とそれぞれ接続されている。
【００４８】
ダイアライザ３内には、複数の中空糸膜（不図示）が収容されており、この中空糸が血液を浄化するための血液浄化膜を構成している。かかるダイアライザ３内には、血液浄化膜を介して患者の血液が流れる血液流路（血液導入口３ａと血液導出口３ｂとの間の流路）及び透析液が流れる透析液流路（透析液導入口３ｃと透析液導出口３ｄとの間の流路）が形成されている。そして、血液浄化膜を構成する中空糸膜には、その外周面と内周面とを貫通した微小な孔（ポア）が多数形成されて中空糸膜を形成しており、該膜を介して血液中の不純物等が透析液内に透過し得るよう構成されている。
【００４９】
透析装置本体Ｂは、透析液導入ラインＬ１及び透析液排出ラインＬ２を有するとともに、複式ポンプ７、バイパスラインＬ４〜Ｌ７及び電磁弁Ｖ３〜Ｖ８を有している。このうち複式ポンプ７は、透析液導入ラインＬ１と透析液排出ラインＬ２とに跨って配設され、所定濃度に調製された透析液をダイアライザ３に導入させるとともに当該ダイアライザ３から透析後の透析液を排出させるものである。
【００５０】
透析液導入ラインＬ１の途中（透析液導入ラインＬ１におけるプライミング液供給ラインＬ３との連結部とダイアライザ３との間）には、電磁弁Ｖ４が接続されるとともに、透析液排出ラインＬ２の途中（透析液排出ラインＬ２におけるバイパスラインＬ４との連結部とダイアライザ３との間）には、電磁弁Ｖ５が接続されている。また、透析液導入ラインＬ１における複式ポンプ７と電磁弁Ｖ４との間には、濾過フィルタ８、９が接続されている。この濾過フィルタ８、９は、透析液導入ラインＬ１を流れる透析液を濾過して浄化するためのものであり、これら濾過フィルタ８、９より上流側には透析液排出ラインＬ２にバイパスして透析液を導くためのバイパスラインＬ４、Ｌ５がそれぞれ接続されている。かかるバイパスラインＬ４、Ｌ５には、それぞれ電磁弁Ｖ７、Ｖ６が接続されている。
【００５１】
さらに、透析液排出ラインＬ２には、複式ポンプ７をバイパスするバイパスラインＬ６、Ｌ７がそれぞれ接続されており、バイパスラインＬ６には、ダイアライザ３の血液流路中を流れる患者の血液から水分を除去するための除水ポンプ１０が配設されるとともに、バイパスラインＬ７には、流路を開閉可能な電磁弁Ｖ８が配設されている。なお、透析液排出ラインＬ２における複式ポンプ７より上流側（バイパスラインＬ５との連結部と複式ポンプ７との間）には、複式ポンプ７における排液側の液圧調整を行うためのポンプ（不図示）が配設されている。
【００５２】
プライミング液供給ラインＬ３は、治療前のプライミング時、プライミング液としての透析液を動脈側血液回路１及び静脈側血液回路２に供給し得る可撓性チューブ等の流路から成るもので、一端が透析液導入ラインＬ１における所定部位（濾過フィルタ９と電磁弁Ｖ４との間）に接続されるとともに、他端が動脈側血液回路１の所定部位（電磁弁Ｖ１と血液ポンプ４との間）に接続されて成る。かかるプライミング液供給ラインＬ３の途中には、その流路を開閉し得る電磁弁Ｖ１１が配設されており、当該電磁弁Ｖ１１が開状態のとき、透析液導入ラインＬ１の透析液を動脈側血液回路１及び静脈側血液回路２に供給し得るよう構成されている。
【００５３】
しかるに、本実施形態に係る血液浄化装置における電磁弁Ｖ１〜Ｖ１１は、上述のように開閉動作により、配設された各々の部位における流路を閉塞及び開放し得るものであり、その開閉動作がマイコン等の制御手段Ｃにて制御されるよう構成されている。特に、本実施形態における制御手段Ｃは、透析装置本体Ｂ内に配設され、透析治療時（例えば、動脈側穿刺針から患者の血液を採取して体外循環を開始させる脱血時や血液回路内の血液を患者の体内に戻す返血時）、液面調整手段Ａを作動させることにより、静脈側エアトラップチャンバ６内に形成される液面（血液の液面）の高さを任意位置に調整し得るよう構成されている。
【００５４】
すなわち、脱血時等において、制御手段Ｃの制御により、電磁弁Ｖ９、Ｖ１０を開状態とし、かつ、液面調整ポンプ１１を正転駆動させることにより、動脈側エアトラップチャンバ５又は静脈側エアトラップチャンバ６内に空気を導入して液面を下降させ、或いは液面調整ポンプ１１を逆転駆動させることにより、動脈側エアトラップチャンバ５又は静脈側エアトラップチャンバ６内の空気を排出して液面を上昇させることができ、動脈側エアトラップチャンバ５又は静脈側エアトラップチャンバ６内の液溜まりの液面の高さを任意位置に調整し得るのである。
【００５５】
ここで、本実施形態に係る制御手段Ｃは、プライミング時、液面調整手段Ａを任意タイミングで作動させることにより、プライミング液供給ラインＬ３から供給されたプライミング液（本実施形態においては透析液）を動脈側血液回路１、静脈側血液回路２及び当該動脈側血液回路１と静脈側血液回路２との間に介装されたダイアライザ３に充填させ得るようになっている。なお、プライミングとは、治療前に行われる工程をいい、透析液や生理食塩液等のプライミング液を血液の流路或いは透析液の流路にて流すことにより洗浄するとともに、当該プライミング液を血液の流路或いは透析液の流路に予め満たしておく作業をいう。
【００５６】
以下、本実施形態に係るプライミングについて具体的に説明する。
先ず、動脈側血液回路１の先端及び静脈側血液回路２の先端がそれぞれ開放した状態とするとともに、図２に示すように、制御手段Ｃの制御により、電磁弁Ｖ１、Ｖ３、Ｖ７、Ｖ９及びＶ１０を開状態としつつ電磁弁Ｖ２、Ｖ４、Ｖ５、Ｖ６、Ｖ８及びＶ１１を閉状態とした後、液面調整ポンプ１１を正転駆動させる（接続テスト工程）。このとき、血液ポンプ４及び複式ポンプ７は、停止した状態とされている。このとき、ダイアライザ３は、治療時と同様、血液導入口３ａを上方に向けて取り付けておくのが好ましい。血液導入口３ａを上方に向けて取り付けるようにすれば、後述するガスパージ工程時、気泡抜けを良好に行わせることができる。
【００５７】
かかる接続テスト工程によれば、図２中太線で示した部位に所定の圧力（正圧）を付与することができるので、例えばダイアライザ３と動脈側血液回路１の基端、及びダイアライザ３と静脈側血液回路２の基端との接続状態等を判定することができる。例えば、所定の圧力を付与する際、動脈側圧力検出センサ１２又は静脈側圧力検出センサ１３の検出値が所定値まで変化しない（僅かしか変化しない）場合、同図中太線で示した何れかの部位の接続状態が不良であることが分かる。
【００５８】
そして、プライミング液供給ラインＬ３の透析液導入ラインＬ１に対する接続状態、及び補液ラインがある場合は、当該補液ラインの接続状態のテストが行われた後、図３に示すように、制御手段Ｃの制御により、電磁弁Ｖ３、Ｖ７、Ｖ８、Ｖ９及びＶ１１を開状態としつつ電磁弁Ｖ１、Ｖ２、Ｖ４、Ｖ５、Ｖ６及びＶ１０を閉状態とした後、液面調整ポンプ１１を逆転駆動、血液ポンプ４を正転駆動、及び複式ポンプ７を駆動させる（第１工程）。なお、液面調整ポンプ１１の駆動速度と血液ポンプ４の駆動速度とを略同一に設定するのが好ましい。
【００５９】
かかる第１工程によれば、プライミング液供給ラインＬ３を介して透析液導入ラインＬ１の透析液が動脈側血液回路１に供給されるとともに、液面調整ポンプ１１の逆転駆動によって、動脈側エアトラップチャンバ５内の空気が外部に排出されるので、当該動脈側エアトラップチャンバ５内に液溜まりが生じることとなる。そして、動脈脈側エアトラップチャンバ５内に溜まった透析液が所定の液位に達したと判定されたことを条件として、第１工程を終了させる。
【００６０】
なお、液面調整ポンプ１１及び血液ポンプ４の駆動速度及び駆動時間により、動脈側エアトラップチャンバ５内に収容された透析液の容量を把握することができるので、当該容量が所定量に達した時点で第１工程を終了させてもよく、或いは、動脈側エアトラップチャンバ５に液位検出センサ等を別個設け、当該液位検出センサ等にて所定の液位が検出された時点で第１工程を終了させてもよい。また、動脈側エアトラップチャンバ５に補液ライン（前補液のための流路）を接続し、さらに、当該補液ラインを介して当該動脈側エアトラップチャンバ５に透析液を導入することで、血液回路と同時に補液ラインをプライミングするとともに、動脈側エアトラップチャンバ５に液溜まりを生じさせるようにしてもよい。
【００６１】
その後、図４に示すように、制御手段Ｃの制御により、電磁弁Ｖ２、Ｖ３、Ｖ７、Ｖ８及びＶ１１を開状態としつつ電磁弁Ｖ１、Ｖ４、Ｖ５、Ｖ６、Ｖ９及びＶ１０を閉状態とした後、血液ポンプ４の正転駆動及び複式ポンプ７の駆動を維持しつつ液面調整ポンプ１１の駆動を停止させる（第２工程）。かかる第２工程により、ダイアライザ３の血液流路を通過した透析液が静脈側エアトラップチャンバ６も通過し、静脈側血液回路２の先端から排出されることとなる。
【００６２】
しかして、第２工程によれば、ダイアライザ３の中空糸膜（濾過膜）に含まれる水溶性の不純物や気泡が透析液と共に静脈側血液回路２の先端から排出されるとともに、ダイアライザ３の血液流路に透析液を充填させることができる。なお、第２工程において、電磁弁Ｖ２の開閉を繰り返すよう制御すれば、ダイアライザ３内の気泡をより効率的に排出させることができ、エア抜きをより一層向上させることができる。
【００６３】
その後、図５に示すように、制御手段Ｃの制御により、電磁弁Ｖ２、Ｖ３、Ｖ７、Ｖ８、Ｖ１０及びＶ１１を開状態としつつ電磁弁Ｖ１、Ｖ４、Ｖ５、Ｖ６、Ｖ９を閉状態とした後、液面調整ポンプ１１を逆転駆動、血液ポンプ４を正転駆動、及び複式ポンプ７を駆動させる（第３工程）。なお、第３工程において、第１工程と同様、液面調整ポンプ１１の駆動速度と血液ポンプ４の駆動速度とを略同一に設定するのが好ましいが、液面調整ポンプ１１の駆動速度を血液ポンプ４の駆動速度より若干遅く設定してもよい。液面調整ポンプ１１の駆動速度を血液ポンプ４の駆動速度より若干遅く設定した場合、血液ポンプ４の駆動による余剰分の流量の透析液は、静脈側血液回路２の先端におけるコネクタｂから排出されることとなる。一方、液面調整ポンプ１１の駆動速度と血液ポンプ４の駆動速度とを略同一に設定する場合、電磁弁Ｖ２を閉状態としてもよい。
【００６４】
かかる第３工程によれば、プライミング液供給ラインＬ３を介して透析液導入ラインＬ１の透析液が動脈側血液回路１及び静脈側血液回路２に供給されるとともに、液面調整ポンプ１１の逆転駆動によって、静脈側エアトラップチャンバ６内の空気が外部に排出されるので、当該静脈側エアトラップチャンバ６内に液溜まりが生じることとなる。そして、当該静脈側エアトラップチャンバ５内に溜まった透析液が所定の液位に達したと判定されたことを条件として、第３工程を終了させる。
【００６５】
なお、液面調整ポンプ１１及び血液ポンプ４の駆動速度及び駆動時間により、静脈側エアトラップチャンバ６内に収容された透析液の容量を把握することができるので、当該容量が所定量に達した時点で第３工程を終了させてもよく、或いは、静脈側エアトラップチャンバ６に液位検出センサ等を別個設け、当該液位検出センサ等にて所定の液位が検出された時点で第３工程を終了させてもよい。また、静脈側エアトラップチャンバ６に補液ライン（後補液のための流路）を接続し、さらに、当該補液ラインを介して当該静脈側エアトラップチャンバ６に透析液を導入することで、血液回路と同時に補液ラインをプライミングするとともに、静脈側エアトラップチャンバ６に液溜まりを生じさせるようにしてもよい。さらに、第３工程の後、再び第２工程に移行してプライミング液（透析液）による洗浄を繰り返し行わせるようにしてもよい。
【００６６】
その後、図６に示すように、制御手段Ｃの制御により、電磁弁Ｖ１、Ｖ３、Ｖ８及びＶ１１を開状態としつつ電磁弁Ｖ２、Ｖ４、Ｖ５、Ｖ６、Ｖ７、Ｖ９及びＶ１０を閉状態とした後、複式ポンプ７の駆動を維持しつつ液面調整ポンプ１１及び血液ポンプ４の駆動を停止する（第４工程）。なお、第４工程において、電磁弁Ｖ２は、開状態及び閉状態の何れであってもよい。
【００６７】
かかる第４工程によれば、プライミング液供給ラインＬ３を介して透析液導入ラインＬ１の透析液が動脈側血液回路１の先端部（電磁弁Ｖ１とコネクタａとの間）に供給されるので、動脈側血液回路１及び静脈側血液回路２（ダイアライザ３の血液流路を含む）全体にプライミング液としての透析液を充填させることができる。なお、かかる第４工程を第１工程後に行わせる（すなわち、第１工程、第４工程、第２工程及び第３工程の順で行わせる）ようにしてもよい。
【００６８】
以上でプライミング工程が終了することとなる。そして、図７に示すように、制御手段Ｃの制御により、電磁弁Ｖ３、Ｖ４、Ｖ５、Ｖ８及びＶ１１を開状態としつつ電磁弁Ｖ１、Ｖ２、Ｖ６、Ｖ７、Ｖ９及びＶ１０を閉状態とした後、複式ポンプ７の駆動を維持しつつ血液ポンプ４を正転駆動させるとともに、液面調整ポンプ１１の駆動を停止させる（ガスパージ工程）。
【００６９】
かかるガスパージ工程によれば、ダイアライザ３の透析液流路に透析液を充填させることができるとともに、血液ポンプ４の駆動によりプライミング液供給ラインＬ３を介して動脈側血液回路１に導入された透析液がダイアライザ３の中空糸膜（濾過膜）にて濾過されることとなるので、当該中空糸膜のポア（微小孔）の洗浄を併せて行うことができる。以上により、プライミング及びガスパージが終了することとなり、続いて血液の体外循環が行われて透析治療（血液浄化治療）がなされることとなる。
【００７０】
一方、第１工程を行う前において、図８に示すように、制御手段Ｃの制御により、電磁弁Ｖ１、Ｖ３、Ｖ７、Ｖ８及びＶ１０を開状態としつつ電磁弁Ｖ２、Ｖ４、Ｖ５、Ｖ６、Ｖ９及びＶ１１を閉状態とした後、血液ポンプ４を逆転駆動、液面調整ポンプ１１を正転駆動、及び複式ポンプ７を駆動させるようにしてもよい（予工程）。かかる予工程を経ることにより、ダイアライザ３（この場合、充填液が充填されたウェット型のダイアライザ）内の充填液が動脈側エアトラップチャンバ５内まで吸引され、当該動脈側エアトラップチャンバ５とダイアライザ３との間の流路が充填液で満たされることとなる。
【００７１】
かかる予工程を経た後、第１工程を行うようにすれば、動脈側エアトラップチャンバ５とダイアライザ３との間の流路が充填液で満たされているので、ダイアライザ３に気泡が送り込まれてしまうのを抑制することができる。しかるに、本実施形態において複式ポンプ７を駆動させているが、停止させた状態にて予工程を行わせるようにしてもよい。なお、血液回路に取り付けられたダイアライザがウェット型でなくドライ型（充填液が満たされていないダイアライザ）の場合は、予工程において充填液による充填作用はない。また、第１工程の前に予工程を行わせるものに加え、第１工程の後（但し、第２工程の前）に予工程を行わせるようにしてもよい。
【００７２】
上記第１の実施形態によれば、プライミング時、液面調整手段Ａを任意タイミングで作動させることにより、プライミング液供給ラインＬ３から供給されたプライミング液（透析液）を動脈側血液回路１及び静脈側血液回路２に充填させるので、プライミングの自動化のための専用部品を削減又は不要とすることができ、プライミングの自動化を図りつつ血液回路の製造コストを低減させることができる。
【００７３】
次に、本発明の第２の実施形態に係る透析装置（血液浄化装置）によるプライミングについて説明する。
本実施形態で適用される液面調整手段Ａは、図９〜１２に示すように、動脈側空気流通ラインＬ８及び静脈側空気流通ラインＬ１０と、動脈側空気流通ラインＬ８の他端に接続された動脈側圧力検出センサ１２と、静脈側空気流通ラインＬ１０の他端に接続された静脈側圧力検出センサ１３と、一端が動脈側空気流通ラインＬ８の途中に接続されつつ他端が大気開放状態とされた連通ラインＬ９と、一端が静脈側空気流通ラインＬ１０の途中に接続されつつ他端が大気開放状態とされた連通ラインＬ１１と、連通ラインＬ９の流路を開閉し得る電磁弁Ｖ９と、連通ラインＬ１１を開閉し得る電磁弁Ｖ１０とから主に構成されている。
【００７４】
すなわち、本実施形態で適用される液面調整手段Ａは、第１の実施形態における液面調整ポンプ１１の如きアクチュエータとしてのポンプを具備しておらず、透析治療時、液面調整手段Ａを作動させると、単に電磁弁Ｖ９及び電磁弁Ｖ１０の開閉動作が行われ、動脈側エアトラップチャンバ５又は静脈側エアトラップチャンバ６内に形成される液面の高さを任意位置に調整し得るよう構成されている。
【００７５】
本実施形態において、プライミングを行う際、図９に示すように、動脈側血液回路１の先端及び静脈側血液回路２の先端がそれぞれ開放した状態とするとともに、第１の実施形態における接続テスト工程等が行われた後、同図に示すように、制御手段Ｃの制御により、電磁弁Ｖ３、Ｖ７、Ｖ８、Ｖ９及びＶ１１を開状態としつつ電磁弁Ｖ１、Ｖ２、Ｖ４、Ｖ５、Ｖ６及びＶ１０を閉状態とし、血液ポンプ４を正転駆動、及び複式ポンプ７を駆動させる（第１工程）。なお、電磁弁Ｖ２は、開状態及び閉状態の何れでもよいが、本実施形態の如く閉状態とすれば、静脈側エアトラップチャンバ６内に液溜まりを確実に形成することができる。その後、図１０に示すように、制御手段Ｃの制御により、電磁弁Ｖ２、Ｖ３、Ｖ７、Ｖ８及びＶ１１を開状態としつつ電磁弁Ｖ１、Ｖ４、Ｖ５、Ｖ６、Ｖ９及びＶ１０を閉状態とした後、血液ポンプ４の正転駆動及び複式ポンプ７の駆動を維持させる（第２工程）。
【００７６】
そして、図１１に示すように、制御手段Ｃの制御により、電磁弁Ｖ２、Ｖ３、Ｖ７、Ｖ８、Ｖ１０及びＶ１１を開状態としつつ電磁弁Ｖ１、Ｖ４、Ｖ５、Ｖ６及びＶ９を閉状態とするとともに、血液ポンプ４の正転駆動及び複式ポンプ７の駆動を維持させる（第３工程）。なお、電磁弁Ｖ２は、開状態及び閉状態の何れでもよいが、閉状態とすれば、静脈側エアトラップチャンバ６内に液溜まりを確実に形成することができる。その後、図１２に示すように、制御手段Ｃの制御により、電磁弁Ｖ１、Ｖ３、Ｖ８及びＶ１１を開状態としつつ電磁弁Ｖ２、Ｖ４、Ｖ５、Ｖ６、Ｖ７、Ｖ９及びＶ１０を閉状態とした後、複式ポンプ７の駆動を維持しつつ血液ポンプ４の駆動を停止する（第４工程）。
【００７７】
上記第２の実施形態によれば、液面調整手段Ａが液面調整ポンプ等のアクチュエータを具備していなくても、プライミング時、液面調整手段Ａを任意タイミングで作動させることにより、プライミング液供給ラインＬ３から供給されたプライミング液（透析液）を動脈側血液回路１及び静脈側血液回路２に充填させるので、プライミングの自動化のための専用部品を削減又は不要とすることができ、プライミングの自動化を図りつつ血液回路の製造コストを低減させることができる。
【００７８】
次に、本発明の第３の実施形態に係る透析装置（血液浄化装置）によるプライミングについて説明する。
本実施形態で適用される液面調整手段Ａは、図１３〜１５に示すように、静脈側空気流通ラインＬ１０と、静脈側空気流通ラインＬ１０の他端に接続された静脈側圧力検出センサ１３と、先端が大気開放状態とされるとともに液面調整ポンプ１１が配設された開放ラインＬ１２と、一端が静脈側空気流通ラインＬ１０の途中に接続されつつ他端が開放ラインＬ１２の基端に接続された連通ラインＬ１１と、連通ラインＬ１１を開閉し得る電磁弁Ｖ１０とから主に構成されている。
【００７９】
すなわち、本実施形態で適用される液面調整手段Ａは、第１の実施形態における液面調整ポンプ１１の如き動脈側エアトラップチャンバ５の上部に接続された動脈側空気流通ラインＬ８及び動脈側圧力検出センサ１２を具備しておらず、透析治療時、液面調整手段Ａを作動させると、液面調整ポンプ１１の正転駆動及び逆転駆動や電磁弁Ｖ１０の開閉動作が行われ、静脈側エアトラップチャンバ６内に形成される液面の高さを任意位置に調整し得るよう構成されている。
【００８０】
本実施形態において、プライミングを行う際、図１３に示すように、動脈側血液回路１の先端及び静脈側血液回路２の先端がそれぞれ開放した状態とし、かつ、動脈側エアトラップチャンバ５を上下反転させた状態とするとともに、第１の実施形態における接続テスト工程等が行われた後、同図に示すように、制御手段Ｃの制御により、電磁弁Ｖ２、Ｖ３、Ｖ７、Ｖ８及びＶ１１を開状態としつつ電磁弁Ｖ１、Ｖ４、Ｖ５、Ｖ６及びＶ１０を閉状態とし、血液ポンプ４を正転駆動及び複式ポンプ７を駆動させつつ液面調整ポンプ１１の駆動を停止させる（第２工程）。
【００８１】
そして、図１４に示すように、制御手段Ｃの制御により、電磁弁Ｖ２、Ｖ３、Ｖ７、Ｖ８、Ｖ１０及びＶ１１を開状態としつつ電磁弁Ｖ１、Ｖ４、Ｖ５及びＶ６を閉状態とするとともに、液面調整ポンプ１１を逆転駆動させつつ血液ポンプ４の正転駆動及び複式ポンプ７の駆動を維持させる（第３工程）。なお、電磁弁Ｖ２は、開状態及び閉状態の何れでもよいが、閉状態とすれば、静脈側エアトラップチャンバ６内に液溜まりを確実に形成することができる。その後、図１５に示すように、制御手段Ｃの制御により、電磁弁Ｖ１、Ｖ３、Ｖ８及びＶ１１を開状態としつつ電磁弁Ｖ２、Ｖ４、Ｖ５、Ｖ６、Ｖ７及びＶ１０を閉状態とした後、複式ポンプ７の駆動を維持しつつ液面調整ポンプ１１及び血液ポンプ４の駆動を停止する（第４工程）。なお、動脈側エアトラップチャンバ５を上下反転させて元の状態に戻すことで、透析治療が行われることとなる。
【００８２】
上記第３の実施形態によれば、液面調整手段Ａが動脈側エアトラップチャンバ５に接続される動脈側空気流通ラインＬ８及び動脈側圧力検出センサ１２を具備していなくても、プライミング時、液面調整手段Ａを任意タイミングで作動させることにより、プライミング液供給ラインＬ３から供給されたプライミング液（透析液）を動脈側血液回路１及び静脈側血液回路２に充填させるので、プライミングの自動化のための専用部品を削減又は不要とすることができ、プライミングの自動化を図りつつ血液回路の製造コストを低減させることができる。
【００８３】
次に、本発明の第４の実施形態に係る透析装置（血液浄化装置）によるプライミングについて説明する。
本実施形態で適用される液面調整手段Ａは、図１６〜１８に示すように、静脈側空気流通ラインＬ１０と、静脈側空気流通ラインＬ１０の他端に接続された静脈側圧力検出センサ１３と、先端が大気開放状態とされるとともに液面調整ポンプ１１が配設された開放ラインＬ１２と、一端が静脈側空気流通ラインＬ１０の途中に接続されつつ他端が開放ラインＬ１２の基端に接続された連通ラインＬ１１と、連通ラインＬ１１を開閉し得る電磁弁Ｖ１０とから主に構成されている。
【００８４】
すなわち、本実施形態で適用される液面調整手段Ａは、第３の実施形態と同様、第１の実施形態における液面調整ポンプ１１の如き動脈側エアトラップチャンバ５の上部に接続された動脈側空気流通ラインＬ８及び動脈側圧力検出センサ１２を具備しておらず、透析治療時、液面調整手段Ａを作動させると、液面調整ポンプ１１の正転駆動及び逆転駆動や電磁弁Ｖ１０の開閉動作が行われ、静脈側エアトラップチャンバ６内に形成される液面の高さを任意位置に調整し得るよう構成されている。
【００８５】
本実施形態において、プライミングを行う際、図１６に示すように、動脈側血液回路１の先端及び静脈側血液回路２の先端がそれぞれ開放した状態とするとともに、第１の実施形態における接続テスト工程等が行われた後、同図に示すように、制御手段Ｃの制御により、電磁弁Ｖ２、Ｖ３、Ｖ７、Ｖ８及びＶ１１を開状態としつつ電磁弁Ｖ１、Ｖ４、Ｖ５、Ｖ６及びＶ１０を閉状態とし、血液ポンプ４を正転駆動及び複式ポンプ７を駆動させつつ液面調整ポンプ１１の駆動を停止させる（第２工程）。
【００８６】
このとき、血液ポンプ４の駆動速度を比較的大きく設定（例えば、２００（ｍＬ／ｍｉｎ）の駆動速度）することで、動脈側エアトラップチャンバ５とダイアライザ３との間の流路を流れる透析液の流動抵抗を大きくさせることにより、当該動脈側エアトラップチャンバ５内に液溜まりを生じさせることができる。これにより、動脈側エアトラップチャンバ５に対して液面調整手段Ａの動脈側空気流通ラインＬ８が接続されていなくても、当該動脈側エアトラップチャンバ５内に所定の液面高さの液溜まりを生じさせることができる。
【００８７】
そして、図１７に示すように、制御手段Ｃの制御により、電磁弁Ｖ２、Ｖ３、Ｖ７、Ｖ８、Ｖ１０及びＶ１１を開状態としつつ電磁弁Ｖ１、Ｖ４、Ｖ５及びＶ６を閉状態とするとともに、液面調整ポンプ１１を逆転駆動させつつ血液ポンプ４の正転駆動及び複式ポンプ７の駆動を維持させる（第３工程）。なお、電磁弁Ｖ２は、開状態及び閉状態の何れでもよいが、閉状態とすれば、静脈側エアトラップチャンバ６内に液溜まりを確実に形成することができる。その後、図１８に示すように、制御手段Ｃの制御により、電磁弁Ｖ１、Ｖ３、Ｖ８及びＶ１１を開状態としつつ電磁弁Ｖ２、Ｖ４、Ｖ５、Ｖ６、Ｖ７及びＶ１０を閉状態とした後、複式ポンプ７の駆動を維持しつつ液面調整ポンプ１１及び血液ポンプ４の駆動を停止する（第４工程）。
【００８８】
上記第４の実施形態によれば、液面調整手段Ａが動脈側エアトラップチャンバ５に接続される動脈側空気流通ラインＬ８及び動脈側圧力検出センサ１２を具備していなくても、プライミング時、液面調整手段Ａを任意タイミングで作動させることにより、プライミング液供給ラインＬ３から供給されたプライミング液（透析液）を動脈側血液回路１及び静脈側血液回路２に充填させるので、プライミングの自動化のための専用部品を削減又は不要とすることができ、プライミングの自動化を図りつつ血液回路の製造コストを低減させることができる。
【００８９】
上記第４の実施形態においては、上記第４工程の後、図１９に示すように、制御手段Ｃの制御により、電磁弁Ｖ１、Ｖ３、Ｖ４、Ｖ７及びＶ８を開状態としつつ電磁弁Ｖ２、Ｖ５、Ｖ６、Ｖ１０及びＶ１１を閉状態とした後、複式ポンプ７の駆動及び液面調整ポンプ１１の停止状態を維持しつつ血液ポンプ４を逆転駆動させる工程を追加するのが好ましい。当該工程を追加することにより、透析液導入ラインＬ１の透析液がダイアライザ３を介して導入（透析液流路から血液流路への濾過）され、動脈側エアトラップチャンバ５に流動させることができる。これにより、動脈側エアトラップチャンバ５に十分な液溜まりを確保して所望の液面に調整することができるとともに、ダイアライザ３（特に、血液導入口３ａ近傍部）の気泡の除去を行わせることができる。
【００９０】
上記した第１〜４の実施形態によれば、プライミング時、動脈側血液回路１の先端及び静脈側血液回路２の先端がそれぞれ開放した状態とされるとともに、プライミング液供給ラインＬ３から供給されたプライミング液（透析液）を当該動脈側血液回路１の先端及び静脈側血液回路２の先端から排出させるので、プライミング自動化のための専用部品のうち少なくともオーバーフローライン及び動脈側血液回路１の先端と静脈側血液回路２の先端とを接続させるための接続具を不要とすることができる。
【００９１】
次に、本発明の第５の実施形態に係る透析装置（血液浄化装置）によるプライミングについて説明する。
本実施形態に係る透析装置は、図２０、２１に示すように、液面調整手段Ａ及び他の構成について第１の実施形態と同様とされる。但し、本実施形態において、プライミングを行う際、同図に示すように、動脈側血液回路１の先端及び静脈側血液回路２の先端を互いに接続させた状態とする。
【００９２】
そして、第１の実施形態における接続テスト工程等が行われた後、制御手段Ｃの制御により、第１の実施形態の第１工程と同様の工程が行われる。その後、図２０に示すように、制御手段Ｃの制御により、電磁弁Ｖ２、Ｖ３、Ｖ７、Ｖ８、Ｖ１０及びＶ１１を開状態としつつ電磁弁Ｖ１、Ｖ４、Ｖ５、Ｖ６及びＶ９を閉状態とし、血液ポンプ４を正転駆動、液面調整ポンプ１１を逆転駆動、及び複式ポンプ７を駆動させる（第２、３工程）。
【００９３】
このとき、液面調整手段Ａは、静脈側空気流通ラインＬ１０、連通ラインＬ１１及び開放ラインＬ１２を介して、静脈側エアトラップチャンバ６から空気又はプライミング液（透析液）を排出させるようになっている。これにより、プライミング液供給ラインＬ３から供給されたプライミング液（透析液）は、動脈側エアトラップチャンバ５及び静脈側エアトラップチャンバ６にて液溜まりとされるとともに、液面調整手段Ａを介して外部に空気又はプライミング液（透析液）が排出されることとなる。
【００９４】
その後、図２１に示すように、制御手段Ｃの制御により、電磁弁Ｖ１、Ｖ２、Ｖ３、Ｖ７、Ｖ８、Ｖ１０及びＶ１１を開状態としつつ電磁弁Ｖ４、Ｖ５、Ｖ６及びＶ９を閉状態とした後、液面調整ポンプ１１の逆転駆動及び複式ポンプ７の駆動を維持しつつ血液ポンプ４の駆動を停止する（第４工程）。かかる第４工程においても、プライミング液供給ラインＬ３から供給されたプライミング液（透析液）は、静脈側エアトラップチャンバ６にて液溜まりとされるとともに、液面調整手段Ａを介して外部に空気又はプライミング液（透析液）が排出されることとなる。
【００９５】
上記第５の実施形態によれば、動脈側血液回路１の先端及び静脈側血液回路２の先端を互いに接続させた状態であっても、プライミング時、液面調整手段Ａを任意タイミングで作動させることにより、プライミング液供給ラインＬ３から供給されたプライミング液（透析液）を動脈側血液回路１及び静脈側血液回路２に充填させるので、プライミングの自動化のための専用部品を削減又は不要とすることができ、プライミングの自動化を図りつつ血液回路の製造コストを低減させることができる。
【００９６】
特に、第５の実施形態によれば、液面調整手段Ａは、静脈側エアトラップチャンバ６からプライミング液を排出させ得るので、従来のオーバーフローラインと同等の機能を有することができることから、プライミング自動化のための専用部品のうち少なくともオーバーフローラインを削減することができるとともに、動脈側血液回路１の先端と静脈側血液回路２の先端とを接続させた状態でもプライミングを行わせることができる。
【００９７】
上記した第１及び第３〜５の実施形態によれば、液面調整手段Ａは、正転駆動及び逆転駆動可能な液面調整ポンプ１１を具備するとともに、プライミング時、当該液面調整ポンプ１１を任意タイミングで駆動させて静脈側エアトラップチャンバ６（第１、５の実施形態においては、動脈側エアトラップチャンバ５も含む）の上部に対する空気の導入又は排出を行うので、治療時及びプライミング時において適切な量の空気を静脈側エアトラップチャンバ６に対して導入又は排出させることができる。
【００９８】
また、上記した第１、２及び第５の実施形態によれば、動脈側血液回路１に動脈側エアトラップチャンバ５が接続されるとともに、液面調整手段Ａは、当該動脈側エアトラップチャンバ５及び静脈側エアトラップチャンバ６にそれぞれ接続され、当該動脈側エアトラップチャンバ５及び静脈側エアトラップチャンバ６内に形成される液面の高さをそれぞれ任意位置に調整するので、治療時及びプライミング時において、動脈側エアトラップチャンバ５及び静脈側エアトラップチャンバ６のそれぞれの液面を最適な高さとすることができる。
【００９９】
さらに、上記した第１〜５の実施形態によれば、プライミング液供給ラインＬ３は、一端が透析液導入ラインＬ１に接続され、他端が血液回路の所定部位（具体的には、動脈側血液回路１における血液ポンプ４と電磁弁Ｖ１との間の部位）に接続されて成り、当該透析液導入ラインＬ１の透析液を動脈側血液回路１及び静脈側血液回路２に供給するので、生理食塩液等をプライミング液として供給するものに比べ、プライミングの自動化をより円滑に図ることができる。
【０１００】
特に、上記した第１〜５の実施形態によれば、従来の如きプライミング専用のオーバーフローラインに装着すべきクランプ手段を不要とすることができ、医療従事者により当該クランプ手段をオーバーフローラインに装着させる手間を省くことができるとともに、当該クランプ手段をオーバーフローラインに装着し忘れてしまうことによる自動プライミングの失敗を回避することができる。
【０１０１】
次に、本発明の第６の実施形態に係る透析装置（血液浄化装置）によるプライミングについて説明する。
本実施形態に係る透析装置は、図２２に示すように、液面調整手段Ａ及び他の構成について第１の実施形態と略同様とされる。但し、本実施形態において、プライミングを行う際、同図に示すように、動脈側血液回路１の先端（コネクタａ）を透析液導入ラインＬ１の所定部位（本実施形態においては、濾過フィルタ９と電磁弁Ｖ４の間の被接続部Ｘ）に接続させた状態とされており、プライミング液供給ラインＬ３及び電磁弁Ｖ１１について具備していない。
【０１０２】
そして、第１の実施形態における接続テスト工程等が行われた後、制御手段Ｃの制御により、第１の実施形態の第１工程及び第２工程と同様の工程が行われる。その後、図２２に示すように、制御手段Ｃの制御により、電磁弁Ｖ１、Ｖ２、Ｖ３、Ｖ７、Ｖ８及びＶ１０を開状態としつつ電磁弁Ｖ４、Ｖ５、Ｖ６及びＶ９を閉状態とし、血液ポンプ４を正転駆動、液面調整ポンプ１１を逆転駆動、及び複式ポンプ７を駆動させる（第３工程）。
【０１０３】
このとき、液面調整手段Ａは、静脈側空気流通ラインＬ１０、連通ラインＬ１１及び開放ラインＬ１２を介して、静脈側エアトラップチャンバ６から空気又はプライミング液（透析液）を排出させるようになっている。これにより、動脈側血液回路１から供給されたプライミング液（透析液）は、動脈側エアトラップチャンバ５及び静脈側エアトラップチャンバ６にて液溜まりとされるとともに、液面調整手段Ａを介して外部に空気又はプライミング液（透析液）が排出されることとなる。
【０１０４】
上記第６の実施形態によれば、第１〜５の実施形態のプライミングにおける第４工程を省略することができるとともに、第１〜５の実施形態のプライミング時に必要とされたプライミング液供給ラインＬ３及び電磁弁Ｖ１１を不要とすることができる。したがって、第４工程を省くことによりプライミングの時間を短縮できるとともに、装置構成を簡素化することができる。なお、本実施形態においては、透析液導入ラインＬ１がプライミング液供給ラインＬ３を兼ねることとなる。
【０１０５】
次に、本発明の第７の実施形態に係る透析装置（血液浄化装置）によるプライミングについて説明する。
本実施形態に係る透析装置は、図２３、２４に示すように、液面調整手段Ａ及び他の構成について第１の実施形態と略同様とされる。但し、本実施形態において、プライミングを行う際、同図に示すように、動脈側血液回路１の先端（コネクタａ）及び静脈側血液回路２の先端（コネクタｂ）を透析液排出ラインＬ２の所定部位（本実施形態においては被接続部α１、β１）に接続させた状態とする。
【０１０６】
本実施形態における被接続部α１、β１は、透析液排出ラインＬ２における複式ポンプ７（ダイアライザから当該透析液排出ラインＬ２に透析液を排出させるポンプ）より下流側に位置しており、プライミング時、動脈側血液回路１の先端（コネクタａ）及び静脈側血液回路２の先端（コネクタｂ）を当該被接続部α１、β１にそれぞれ接続することにより、動脈側血液回路１の先端（コネクタａ）及び静脈側血液回路２の先端（コネクタｂ）が透析液排出ラインＬ２における当該複式ポンプ７より下流側に接続されるよう構成されている。
【０１０７】
さらに、本実施形態においては、透析液導入ラインＬ１における複式ポンプ７より上流側と透析液排出ラインＬ２における複式ポンプ７より下流側とを連結した連結ラインＬ１３を有しているとともに、当該連結ラインＬ１３には電磁弁Ｖ１２が配設されている。なお、透析液導入ラインＬ１における連結ラインＬ１３との連結部より上流側、及び透析液排出ラインＬ２における連結ラインＬ１３との連結部より下流側には、それぞれ電磁弁Ｖ１３、Ｖ１４が配設されている。
【０１０８】
そして、プライミング時、動脈側血液回路１の先端のコネクタａを透析液排出ラインＬ２の被接続部α１に接続するとともに、静脈側血液回路２の先端のコネクタｂを透析液排出ラインＬ２の被接続部β１に接続し、第１の実施形態における接続テスト工程等が行われた後、制御手段Ｃの制御により、第１の実施形態の第１工程と同様の工程が行われる。その後、図２３に示すように、制御手段Ｃの制御により、電磁弁Ｖ２、Ｖ３、Ｖ７、Ｖ８、Ｖ１１、Ｖ１３及びＶ１４を開状態としつつ電磁弁Ｖ１、Ｖ４、Ｖ５、Ｖ６、Ｖ９、Ｖ１０及びＶ１２を閉状態とし、血液ポンプ４を正転駆動、及び複式ポンプ７を駆動（液面調整ポンプ１１は停止）させることにより、第２工程を行うことができる。また、制御手段Ｃの制御により、図２３の状態から、電磁弁Ｖ１０を開状態として液面調整ポンプ１１を逆転駆動させることにより、第３工程を行うことができる。しかして、第２工程及び第３工程において、プライミング液供給ラインＬ３から供給されたプライミング液（透析液）は、動脈側血液回路１、ダイアライザ３の透析液流路及び静脈側血液回路２を流れた後、当該静脈側血液回路２の先端（コネクタｂ）から透析液排出ラインＬ２を介して排出されることとなる。
【０１０９】
その後、図２４に示すように、制御手段Ｃの制御により、電磁弁Ｖ１、Ｖ３、Ｖ７、Ｖ８、Ｖ１１、Ｖ１３及びＶ１４を開状態としつつ電磁弁Ｖ２、Ｖ４、Ｖ５、Ｖ６、Ｖ９、Ｖ１０及びＶ１２を閉状態とし、血液ポンプ４及び液面調整ポンプ１１を停止、及び複式ポンプ７を駆動させることにより、第４工程を行うことができる。しかして、第４工程において、プライミング液供給ラインＬ３から供給されたプライミング液（透析液）は、動脈側血液回路１における当該プライミング液供給ラインＬ３との連結部より上流側（コネクタａ側）を流れた後、当該動脈側血液回路１の先端（コネクタａ）から透析液排出ラインＬ２を介して排出されることとなる。
【０１１０】
上記第７の実施形態によれば、プライミング時、動脈側血液回路１の先端及び静脈側血液回路２の先端が透析液排出ラインＬ２にそれぞれ接続されるとともに、プライミング液供給ラインＬ３から供給されたプライミング液（透析液）を当該動脈側血液回路１の先端及び静脈側血液回路２の先端から透析液排出ラインＬ２を介して排出するので、透析液排出ラインＬ２を利用してプライミング時に使用されたプライミング液を排出させることができ、プライミング液の回収を容易に行わせることができる。
【０１１１】
また、上記第７の実施形態によれば、透析液排出ラインＬ２には、ダイアライザ３から当該透析液排出ラインＬ２に透析液を排出させる複式ポンプ７を具備するとともに、プライミング時、動脈側血液回路１の先端及び静脈側血液回路２の先端が透析液排出ラインＬ２における当該複式ポンプ７より下流側に接続されたので、動脈側血液回路１の先端及び静脈側血液回路２の先端から排出されたプライミング液がダイアライザ３に至ってしまうのを確実に回避することができる。
【０１１２】
一方、上記第７の実施形態においては、透析液導入ラインＬ１における複式ポンプ７より上流側と透析液排出ラインＬ２における複式ポンプ７より下流側とを連結した連結ラインＬ１３を有しているとともに、当該連結ラインＬ１３に電磁弁Ｖ１２、透析液導入ラインＬ１及び透析液排出ラインＬ２にそれぞれ電磁弁Ｖ１３、Ｖ１４が配設されているので、血液透析治療が終了した後の洗浄工程において、図２５に示すように、透析液導入ラインＬ１、透析液排出ラインＬ２及び連結ラインＬ１３において、洗浄液を循環させることができる。
【０１１３】
すなわち、治療後の洗浄工程において、制御手段Ｃの制御により、透析液導入ラインＬ１の先端と透析液排出ラインＬ２の先端とをカプラＤにて接続して短絡させるとともに、電磁弁Ｖ３、Ｖ７、Ｖ８及びＶ１２を開状態としつつ電磁弁Ｖ４、Ｖ５、Ｖ６、Ｖ１３及びＶ１４を閉状態とし、複式ポンプ７を駆動させることにより、被接続部α１、β１を含む循環流路にて洗浄液を循環させ、洗浄することができる。なお、洗浄液に代えて消毒液を循環させれば、被接続部α１、β１を含む循環流路を消毒することができる。
【０１１４】
次に、本発明の第８の実施形態に係る透析装置（血液浄化装置）によるプライミングについて説明する。
本実施形態に係る透析装置は、図２６、２７に示すように、液面調整手段Ａ及び他の構成について第７の実施形態と略同様とされる。但し、本実施形態において、プライミングを行う際、同図に示すように、動脈側血液回路１の先端（コネクタａ）及び静脈側血液回路２の先端（コネクタｂ）を透析液排出ラインＬ２から分岐した連結ラインＬ１３の所定部位（本実施形態においては連結ラインＬ１３の被接続部α２、β２）に接続させた状態とする。
【０１１５】
本実施形態における被接続部α２、β２は、透析液導入ラインＬ１における複式ポンプ７より上流側と透析液排出ラインＬ２における複式ポンプ７より下流側とを連結した連結ラインＬ１３にそれぞれ位置しており、プライミング時、動脈側血液回路１の先端（コネクタａ）及び静脈側血液回路２の先端（コネクタｂ）を当該被接続部α２、β２にそれぞれ接続することにより、動脈側血液回路１の先端（コネクタａ）及び静脈側血液回路２の先端（コネクタｂ）が連結ラインＬ１３に接続されるよう構成されている。
【０１１６】
さらに、本実施形態に係る連結ラインＬ１３には、電磁弁Ｖ１５、Ｖ１６が配設されており、これら電磁弁Ｖ１５、Ｖ１６の間に被接続部α２、β２が形成されている。なお、透析液導入ラインＬ１における連結ラインＬ１３との連結部より上流側、及び透析液排出ラインＬ２における連結ラインＬ１３との連結部より下流側には、第７の実施形態と同様、それぞれ電磁弁Ｖ１３、Ｖ１４が配設されている。
【０１１７】
そして、プライミング時、動脈側血液回路１の先端のコネクタａを連結ラインＬ１３の被接続部α２に接続するとともに、静脈側血液回路２の先端のコネクタｂを連結ラインＬ１３の被接続部β２に接続し、第１の実施形態における接続テスト工程等が行われた後、制御手段Ｃの制御により、第１の実施形態の第１工程と同様の工程が行われる。その後、図２６に示すように、制御手段Ｃの制御により、電磁弁Ｖ２、Ｖ３、Ｖ７、Ｖ８、Ｖ１１、Ｖ１３，Ｖ１４及びＶ１６を開状態としつつ電磁弁Ｖ１、Ｖ４、Ｖ５、Ｖ６、Ｖ９、Ｖ１０、Ｖ１５を閉状態とし、血液ポンプ４を正転駆動、及び複式ポンプ７を駆動（液面調整ポンプ１１は停止）させることにより、第２工程を行うことができる。また、制御手段Ｃの制御により、図２６の状態から、電磁弁Ｖ１０を開状態として液面調整ポンプ１１を逆転駆動させることにより、第３工程を行うことができる。しかして、第２工程及び第３工程において、プライミング液供給ラインＬ３から供給されたプライミング液（透析液）は、動脈側血液回路１、ダイアライザ３の透析液流路及び静脈側血液回路２を流れた後、当該静脈側血液回路２の先端（コネクタｂ）から連結ラインＬ１３を流れ、透析液排出ラインＬ２を介して排出されることとなる。
【０１１８】
その後、図２７に示すように、制御手段Ｃの制御により、電磁弁Ｖ１、Ｖ３、Ｖ７、Ｖ８、Ｖ１１、Ｖ１３、Ｖ１４及びＶ１６を開状態としつつ電磁弁Ｖ２、Ｖ４、Ｖ５、Ｖ６、Ｖ９、Ｖ１０、Ｖ１５を閉状態とし、血液ポンプ４及び液面調整ポンプ１１を停止、及び複式ポンプ７を駆動させることにより、第４工程を行うことができる。しかして、第４工程において、プライミング液供給ラインＬ３から供給されたプライミング液（透析液）は、動脈側血液回路１における当該プライミング液供給ラインＬ３との連結部より上流側（コネクタａ側）を流れた後、当該動脈側血液回路１の先端（コネクタａ）から連結ラインＬ１３に流れ、透析液排出ラインＬ２を介して排出されることとなる。
【０１１９】
上記第８の実施形態によれば、プライミング時、動脈側血液回路１の先端及び静脈側血液回路２の先端が連結ラインＬ１３にそれぞれ接続されるとともに、プライミング液供給ラインＬ３から供給されたプライミング液（透析液）を当該動脈側血液回路１の先端及び静脈側血液回路２の先端から透析液排出ラインＬ２を介して排出する（厳密には、動脈側血液回路１の先端及び静脈側血液回路２の先端から連結ラインＬ１３及び透析液排出ラインＬ２を介して排出する）ので、透析液排出ラインＬ２を利用してプライミング時に使用されたプライミング液を排出させることができ、プライミング液の回収を容易に行わせることができる。
【０１２０】
また、上記第８の実施形態によれば、透析液排出ラインＬ２には、ダイアライザ３から当該透析液排出ラインＬ２に透析液を排出させる複式ポンプ７を具備するとともに、プライミング時、動脈側血液回路１の先端及び静脈側血液回路２の先端が透析液排出ラインＬ２における当該複式ポンプ７より下流側に位置する連結ラインＬ１３（電磁弁Ｖ１５が閉状態故に複式ポンプ７より下流側に位置することとなる）に接続されたので、動脈側血液回路１の先端及び静脈側血液回路２の先端から排出されたプライミング液がダイアライザ３に至ってしまうのを確実に回避することができる。
【０１２１】
次に、本発明の第９の実施形態に係る透析装置（血液浄化装置）によるプライミングについて説明する。
本実施形態に係る透析装置は、図２８、２９に示すように、液面調整手段Ａ及び他の構成について第８の実施形態と略同様とされる。但し、本実施形態において、プライミングを行う際、同図に示すように、動脈側血液回路１の先端（コネクタａ）及び静脈側血液回路２の先端（コネクタｂ）を接続手段Ｌａを介して連結ラインＬ１３の所定部位（本実施形態においては連結ラインＬ１３の被接続部γ）に接続させた状態とする。
【０１２２】
本実施形態における被接続部γは、透析液導入ラインＬ１における複式ポンプ７より上流側と透析液排出ラインＬ２における複式ポンプ７より下流側とを連結した連結ラインＬ１３に位置しており、プライミング時、接続手段Ｌａを介して、動脈側血液回路１の先端（コネクタａ）及び静脈側血液回路２の先端（コネクタｂ）を当該被接続部γに接続することにより、動脈側血液回路１の先端（コネクタａ）及び静脈側血液回路２の先端（コネクタｂ）が連結ラインＬ１３に接続されるよう構成されている。
【０１２３】
さらに、本実施形態に係る連結ラインＬ１３には、電磁弁Ｖ１５、Ｖ１６が配設されており、これら電磁弁Ｖ１５、Ｖ１６の間に被接続部γが形成されている。なお、透析液導入ラインＬ１における連結ラインＬ１３との連結部より上流側、及び透析液排出ラインＬ２における連結ラインＬ１３との連結部より下流側には、第７、８の実施形態と同様、それぞれ電磁弁Ｖ１３、Ｖ１４が配設されている。
【０１２４】
ここで、本実施形態に係る接続手段Ｌａは、動脈側血液回路１の先端のコネクタａ及び静脈側血液回路２の先端のコネクタｂとそれぞれ接続可能な第１接続部α３及び第２接続部β３と、連結ラインＬ１３の被接続部γに接続可能な第３接続部Ｌａａとを具備したＹ字状のチューブ（別個のチューブ）から成る。なお、本実施形態においては、接続手段ＬａがＹ字状のチューブ（一端側に一対の第１接続部α３及び第２接続部β３が形成されつつ他端側に単一の第３接続部Ｌａａが形成されたチューブ）とされているが、一端が動脈側血液回路１の先端のコネクタａと接続可能とされるとともに他端が連結ラインＬ１３に接続可能とされたチューブと、一端が静脈側血液回路２の先端のコネクタｂと接続可能とされるとともに他端が連結ラインＬ１３に接続可能とされたチューブとの２つのチューブから成るものであってもよい（この場合、連結ラインＬ１３に被接続部が２つ必要とされる）。また、本実施形態に係る接続手段Ｌａは、プライミング時、第３接続部Ｌａａを連結ラインＬ１３に接続可能とされているが、透析液排出ラインＬ２に被接続部を形成し、当該透析液排出ラインＬ２に第３接続部Ｌａａを接続可能なものとしてもよい。
【０１２５】
そして、プライミング時、動脈側血液回路１の先端のコネクタａを接続手段Ｌａの第１接続部α３に接続し、静脈側血液回路２の先端のコネクタｂを接続手段Ｌａの第２接続部β３に接続するとともに、当該接続手段Ｌａの第３接続部Ｌａａを連結ラインＬ１３の被接続部γに接続し、第１の実施形態における接続テスト工程等が行われた後、制御手段Ｃの制御により、第１の実施形態の第１工程と同様の工程が行われる。その後、図２８に示すように、制御手段Ｃの制御により、電磁弁Ｖ２、Ｖ３、Ｖ７、Ｖ８、Ｖ１１、Ｖ１３、Ｖ１４及びＶ１６を開状態としつつ電磁弁Ｖ１、Ｖ４、Ｖ５、Ｖ６、Ｖ９、Ｖ１０、Ｖ１５を閉状態とし、血液ポンプ４を正転駆動、及び複式ポンプ７を駆動（液面調整ポンプ１１は停止）させることにより、第２工程を行うことができる。また、制御手段Ｃの制御により、図２８の状態から、電磁弁Ｖ１０を開状態として液面調整ポンプ１１を逆転駆動させることにより、第３工程を行うことができる。しかして、第２工程及び第３工程において、プライミング液供給ラインＬ３から供給されたプライミング液（透析液）は、動脈側血液回路１、ダイアライザ３の透析液流路及び静脈側血液回路２を流れた後、当該静脈側血液回路２の先端（コネクタｂ）から第２接続部β３を介して接続手段Ｌａに至り、当該接続手段Ｌａの第３接続部Ｌａａから連結ラインＬ１３に流れた後、透析液排出ラインＬ２を介して排出されることとなる。
【０１２６】
その後、図２９に示すように、制御手段Ｃの制御により、電磁弁Ｖ１、Ｖ３、Ｖ７、Ｖ８、Ｖ１１、Ｖ１３、Ｖ１４及びＶ１６を開状態としつつ電磁弁Ｖ２、Ｖ４、Ｖ５、Ｖ６、Ｖ９、Ｖ１０、Ｖ１５を閉状態とし、血液ポンプ４及び液面調整ポンプ１１を停止、及び複式ポンプ７を駆動させることにより、第４工程を行うことができる。しかして、第４工程において、プライミング液供給ラインＬ３から供給されたプライミング液（透析液）は、動脈側血液回路１における当該プライミング液供給ラインＬ３との連結部より上流側（コネクタａ側）を流れた後、当該動脈側血液回路１の先端（コネクタａ）から第１接続部α３を介して接続手段Ｌａに至り、当該接続手段Ｌａの第３接続部Ｌａａから連結ラインＬ１３に流れた後、透析液排出ラインＬ２を介して排出されることとなる。
【０１２７】
上記第９の実施形態によれば、プライミング時、動脈側血液回路１の先端及び静脈側血液回路２の先端が接続手段Ｌａを介して連結ラインＬ１３にそれぞれ接続されるとともに、プライミング液供給ラインＬ３から供給されたプライミング液（透析液）を当該動脈側血液回路１の先端及び静脈側血液回路２の先端から透析液排出ラインＬ２を介して排出する（厳密には、動脈側血液回路１の先端及び静脈側血液回路２の先端から連結ラインＬ１３及び透析液排出ラインＬ２を介して排出する）ので、透析液排出ラインＬ２を利用してプライミング時に使用されたプライミング液を排出させることができ、プライミング液の回収を容易に行わせることができる。
【０１２８】
また、上記第９の実施形態によれば、透析液排出ラインＬ２には、ダイアライザ３から当該透析液排出ラインＬ２に透析液を排出させる複式ポンプ７を具備するとともに、プライミング時、動脈側血液回路１の先端及び静脈側血液回路２の先端が透析液排出ラインＬ２における当該複式ポンプ７より下流側に位置する連結ラインＬ１３（電磁弁Ｖ１５が閉状態故に複式ポンプ７より下流側に位置することとなる）に接続されたので、動脈側血液回路１の先端及び静脈側血液回路２の先端から排出されたプライミング液がダイアライザ３に至ってしまうのを確実に回避することができる。
【０１２９】
特に、上記第９の実施形態によれば、動脈側血液回路１の先端及び静脈側血液回路２の先端とそれぞれ接続可能な第１接続部α３及び第２接続部β３と、透析液排出ラインＬ２又は連結ラインＬ１３に接続可能な第３接続部Ｌａａとを具備した接続手段Ｌａを具備するとともに、プライミング時、プライミング液供給ラインＬ３から供給されたプライミング液（透析液）を当該動脈側血液回路１の先端及び静脈側血液回路２の先端から当該接続手段Ｌａを介して透析液排出ラインＬ２又は連結ラインＬ１３に排出するので、動脈側血液回路１の先端（コネクタａ）及び静脈側血液回路２の先端（コネクタｂ）が透析液排出ラインＬ２を具備した透析装置本体Ｂに接触してしまうのを回避でき、清浄に保つことができる。さらに、透析装置本体Ｂ側の被接続部γが１カ所で足りるため、部品コストの低減及び装置の小型化を図ることができる。
【０１３０】
以上、本実施形態について説明したが、本発明はこれらに限定されるものではなく、例えば生理食塩液を収容した収容バッグを具備させ、当該収容バッグと動脈側血液回路１における血液ポンプ４と電磁弁Ｖ１との間の部位とを連結させる流路をプライミング液供給ラインとするとともに、当該プライミング液供給ラインに電磁弁等の弁手段を配設させて任意タイミングで開閉させてプライミング液としての生理食塩液を供給するものとしてもよい。
【０１３１】
また、血液回路として、動脈側血液回路１におけるプライミング液供給ラインＬ３との連結部と血液ポンプ４との間に、脱血圧を測定するために気液分離し得るチャンバを接続して成るものを適用してもよく、その場合、当該チャンバにも液面調整手段Ａを接続するとともに、動脈側エアトラップチャンバ５及び静脈側エアトラップチャンバ６と同様、その上部に対する空気の導入又は排出を行わせるものとしてもよい。
【０１３２】
液面調整手段Ａは、透析装置本体Ｂに配設されたもの、或いは透析装置本体Ｂとは別個の位置に配設されたものであってもよい。なお、本実施形態においては、血液透析治療時に用いられる透析装置に適用しているが、患者の血液を体外循環させつつ浄化し得る他の装置（例えば血液濾過透析法、血液濾過法、ＡＦＢＦで使用される血液浄化装置、血漿吸着装置など）に適用してもよい。
【産業上の利用可能性】
【０１３３】
プライミング時、液面調整手段を任意タイミングで作動させることにより、プライミング液供給ラインから供給されたプライミング液を動脈側血液回路及び静脈側血液回路に充填させ得る血液浄化装置及びそのプライミング方法であれば、他の形態及び用途のものにも適用することができる。
【符号の説明】
【０１３４】
１    動脈側血液回路
２    静脈側血液回路
３    ダイアライザ（血液浄化手段）
４    血液ポンプ
５    動脈側エアトラップチャンバ
６    静脈側エアトラップチャンバ
７    複式ポンプ
８、９  濾過フィルタ
１０  除水ポンプ
１１  液面調整ポンプ
１２  動脈側圧力検出センサ
１３  静脈側圧力検出センサ
Ｌ１  透析液導入ライン
Ｌ２  透析液排出ライン
Ｌ３  プライミング液供給ライン
Ｌａ  接続手段
Ａ  液面調整手段
Ｂ  透析装置本体
Ｃ  制御手段
【図１】
2014024972.tif 000003
【図２】
2014024972.tif 000004
【図３】
2014024972.tif 000005
【図４】
2014024972.tif 000006
【図５】
2014024972.tif 000007
【図６】
2014024972.tif 000008
【図７】
2014024972.tif 000009
【図８】
2014024972.tif 000010
【図９】
2014024972.tif 000011
【図１０】
2014024972.tif 000012
【図１１】
2014024972.tif 000013
【図１２】
2014024972.tif 000014
【図１３】
2014024972.tif 000015
【図１４】
2014024972.tif 000016
【図１５】
2014024972.tif 000017
【図１６】
2014024972.tif 000018
【図１７】
2014024972.tif 000019
【図１８】
2014024972.tif 000020
【図１９】
2014024972.tif 000021
【図２０】
2014024972.tif 000022
【図２１】
2014024972.tif 000023
【図２２】
2014024972.tif 000024
【図２３】
2014024972.tif 000025
【図２４】
2014024972.tif 000026
【図２５】
2014024972.tif 000027
【図２６】
2014024972.tif 000028
【図２７】
2014024972.tif 000029
【図２８】
2014024972.tif 000030
【図２９】
2014024972.tif 000031
【国際調査報告】
2014024972.tif 000032
2014024972.tif 000033
2014024972.tif 000034
2014024972.tif 000035